(57)【要約】      （修正有） 【課題】高温を正確に検知し、非正常な高温に遭遇した場合、自動的に溶断することができ、安全上の危害の発生を回避できる防爆安全電気湯沸器を提供する。【解決手段】電熱管と、絶縁ジョイントとから構成され、電熱管１０は、金属管体１と、２個の端子針２１，２２と、２個の閉塞材３１，３２と、ヒューズ４と、２本の発熱線５１，５２と、充填物質６とを有し、ヒューズの両端にそれぞれ発熱線が接続されて、各発熱線は、それぞれ端子針に連結され、金属管体の両端を各別に閉塞材で密閉し、金属管体内に充填物質（酸化マグネシウム粉末）を満充填し、電熱管は、折り曲げられて絶縁ジョイントに結合される。ヒューズの両端に各別に１本の発熱線が接続されるため、熱温を均一にヒューズに伝達させることができ高温を正確に検知できる。【選択図】図１
0003209618.tif 000002
【実用新案登録請求の範囲】
【請求項１】
電熱管と、絶縁ジョイントとを備える防爆安全電気湯沸器であって、
前記電熱管が延伸して折り曲げられた後に前記絶縁ジョイントにまた結合されて、
前記電熱管は、金属管体と、２個の端子針と、２個の閉塞材と、ヒューズと、２本の発熱線と、充填物質とを有し、
前記金属管体は、金属中空管体であり、その管内に前記２個の端子針と、前記ヒューズと、前記２本の発熱線と、前記充填物質とが収容され、
前記２個の端子針は、それぞれ前記金属管体の両端に挿設され、
前記２個の閉塞材は、それぞれ前記２個の端子針を貫通させると共に、前記金属管体の両端に密閉固定され、
前記ヒューズの両端にそれぞれ前記２本の発熱線が接続され、
前記２本の発熱線は、それらの一端が各別に前記ヒューズに接続され、それらの他端が各別に端子針に連結され、
前記充填物質は、酸化マグネシウム粉末であり、前記金属管体の内部を満充填するために供給され、
防爆安全電気湯沸器を構成し、前記ヒューズの両端に各別に当該１本の発熱線が接続されることで、前記ヒューズに対して高温感知をさらに敏感かつ正確にさせ、非正常な高温に遭遇した場合、即時に前記ヒューズを自動的に溶断することを特徴とする、防爆安全電気湯沸器。
【請求項２】
前記２個の閉塞材は、ゴム材質を採用することを特徴とする、請求項１に記載の防爆安全電気湯沸器。
【請求項３】
前記ヒューズは、両端にそれぞれ接続端子を結合してから、それぞれ発熱線に接続されることを特徴とする、請求項１に記載の防爆安全電気湯沸器。
【請求項４】
前記ヒューズには、高温防止スリーブが外嵌結合されることを特徴とする、請求項１に記載の防爆安全電気湯沸器。
【請求項５】
前記絶縁ジョイントは、一側下端に弧面を有する取り付けフックが一体成形的に設けられることを特徴とする、請求項１に記載の防爆安全電気湯沸器。
【請求項６】
前記電熱管の形状が、次第に外向き拡開状態を呈し、底部で最大に拡開して異なる傾斜角度の加熱部を形成することを特徴とする、請求項１に記載の防爆安全電気湯沸器。
【請求項７】
前記電熱管の形状が、底部で隣り合う巻回の拡開加熱部を２個連続形成することを特徴とする、請求項１に記載の防爆安全電気湯沸器。
【考案の詳細な説明】
【技術分野】
【０００１】
本考案は、防爆安全電気湯沸器（電気スプーン）に係り、特に、非正常な高温をさらに敏感かつ正確に検知して即時にヒューズを自動的に溶断できる、電気湯沸器に関するものを指す。
【背景技術】
【０００２】
電源プラグを差し込んで使用する従来の防爆安全電気湯沸器は、水中に投げ込むために専用のもので、通電時に迅速に発熱することができ、加熱して湯沸かしを行う機能を提供するので、その体積が小さくて携帯に容易な上に、かつ価格が安価である故に、相当普及又は使用便利な簡易型加熱工具である。
【０００３】
従来の電気湯沸器は、通常、操作時、空焚き状況の発生が最も忌避されることから、使用者による誤操作のせいで、例えば、断電前に水中から抜き出すのが早すぎたり、先に電源プラグを差し込んでから水中に投げ込んだり、又は粘稠食品で包みかぶせたりすることは、いずれも電熱管が瞬間過熱しやすくなり、金属管体の爆裂を引き起こす羽目となり、軽いものならば、やけどになる可能性があり、厳重なものならば、感電や火事などの意外を引き起こす故に、使用上の安全について必ず予防に注意を払われなくてはならない。
【０００４】
そのため、本出願人の先に提案した電気湯沸器の改良において、その設計には、既に防爆可能なヒューズ装置が予め設けられたので、非正常な高温の時、ヒューズを自動的に溶断することができることから、危害の発生を回避できる。ただ、その中、かかる発熱線がただその中の端子針と別の端子針との間に直列接続され、それに応じて高温検知を行う時、発熱線が単に１本のみの連結構成によるため、熱温伝導による距離の違いに伴う非同期を生じさせることがあり、高温を均一に伝達することができないあまりに現時点では適確に検知して把握することが困難である。高温の感知が比較的に敏感ではなく、例えば、高温２５０℃に設定した時、必ずヒューズを自動的に溶断する必要があり、高温感知が敏感ではないので、ヒューズの溶断時間を遅延させるかもしれず、即ち、もし電気湯沸器は、今、既に２５０℃の高温に達した時、しかし、前記ヒューズを却って依然として正確に検知することが分かり、常に２５０℃の高温を超える時こそ、ヒューズを溶断することができる。
【考案の概要】
【考案が解決しようとする課題】
【０００５】
本考案の主要目的は、電熱管と、絶縁ジョイントとから構成される防爆安全電気湯沸器を提供することにある。前記電熱管は、金属管体と、２個の端子針と、２個の閉塞材と、ヒューズと、２本の発熱線と、充填物質とを有し、ヒューズの両端にそれぞれ発熱線が接続されて、各発熱線は、またそれぞれ端子針に連結され、金属管体の両端を各別に閉塞材で密閉し、金属管体内になお充填物質（酸化マグネシウム粉末）を満充填し、電熱管は、折り曲げられて絶縁ジョイントに結合されるように供給され、ヒューズの両端に各別に１本の発熱線が接続されるため、故に熱温を均一にヒューズに伝達させることができるようにすることにより、高温を正確に検知し、高温の感知をさらに敏感かつ正確にさせ、非正常な高温に遭遇した場合、即時にヒューズを自動的に溶断することができることから、危害の発生を回避でき、安全性の保障を高めることができると共に、電気湯沸器の使用基準に完全に準拠させることができる。
【０００６】
本考案の副次的目的は、かかる電熱管の形状が、次第に外向き拡開状態を呈すると共に、底部で最大に拡開して異なる傾斜角度の加熱部を形成する、防爆安全電気湯沸器を提供することにある。
【０００７】
本考案のさらなる目的は、かかる電熱管の形状が、底部で隣り合う巻回の拡開加熱部を２個連続形成する、防爆安全電気湯沸器を提供することにある。
【課題を解決するための手段】
【０００８】
かかる防爆安全電気湯沸器は、電熱管と、絶縁ジョイントとから構成され、前記電熱管は、金属管体と、２個の端子針と、２個の閉塞材と、ヒューズと、２本の発熱線と、充填物質とを有し、ヒューズの両端にそれぞれ発熱線が接続されて、各発熱線は、またそれぞれ端子針に連結され、金属管体の両端を各別に閉塞材で密閉し、金属管体内になお充填物質（酸化マグネシウム粉末）を満充填し、電熱管は、折り曲げられて絶縁ジョイントに結合されるように供給され、ヒューズの両端に各別に１本の発熱線が接続されるため、故に熱温を均一にヒューズに伝達させることができるようにすることにより、高温を正確に検知し、例えば、非正常な高温に遭遇した場合、即ち適時にヒューズを自動的に溶断することができ、安全上の危害の発生を回避できる。
【図面の簡単な説明】
【０００９】
【図１】本考案の電熱管の折り曲げ前の組み立てを示す断面図である。
【図２】本考案の第１実施例の組み立て斜視図である。
【図３】本考案の第２実施例の組み立て斜視図である。
【図４】本考案の使用状態を示す図である。
【考案を実施するための形態】
【００１０】
図１〜図３に示すように、本考案の「防爆安全電気湯沸器」の構造は、電熱管１０と、絶縁ジョイント２０とを備え、前記電熱管１０は、金属管体１と、２個の端子針２１，２２と、２個の閉塞材３１、３２と、ヒューズ４と、２本の発熱線５１，５２と、充填物質６とを有する。
【００１１】
その中、金属管体１は、例えば、アルミニウムや銅質などから選ばれる金属の中空管体であってもよく、その管内には端子針２１，２２、ヒューズ４、２本の発熱線５１，５２及び充填物質６などを収容するために供される。
２個の端子針２１，２２は、それぞれ金属管体１の両端に挿設される。
２個の閉塞材３１，３２は、それぞれ上記の端子針２１，２２を貫通させると共に、金属管体１の両端に密閉固定されて、閉塞材３１，３２は、ゴム材質の塞ぎ材を採用してもよい。
ヒューズ４の両端にそれぞれ発熱線５１，５２が接続される。
２本の発熱線５１，５２は、それらの一端が各別にヒューズ４に接続され、それらの他端が各別に端子針２１，２２に連結されると共に、通電時、高温を生じることができる。
充填物質６は、例えば、酸化マグネシウム粉末のような物質を選択するのが好ましいと共に、金属管体１の内部を満充填するために供給される。
【００１２】
上記の電熱管１０は、好適に延伸して折り曲げられた後に絶縁ジョイント２０にまた結合されることを通じて、防爆安全電気湯沸器を構成するために供され、それは特にヒューズ４の両端を利用して各別に１本の発熱線５１，５２が接続される故に、熱温を均一にヒューズ４に伝達させることができるようにすることにより、高温を正確に検知し、高温の感知をさらに敏感かつ正確にさせ、非正常な高温に遭遇した場合、即時にヒューズ４を自動的に溶断することができることから、危害の発生を回避でき、安全性の保障を高めることができると共に、電気湯沸器の使用基準に完全に準拠することができる。
【００１３】
図１は、本考案の電熱管１０の折り曲げ前の模式的状態図を示す。図１に示すように、図中のヒューズ４は、両端がそれぞれ接続端子７１，７２に結合されてから、それぞれ発熱線５１，５２に接続され、かつヒューズ４の外周にも、高温防止スリーブ８が外嵌結合され、ヒューズ４が周囲物質による高温影響や破壊のおそれを防止するために用いられ、定格温度を超えると、自動的に溶断することができる。
【実施例１】
【００１４】
図２に示すように、本考案の電気湯沸器において、前記電熱管１０は、好適に延伸して折り曲げられた後に絶縁ジョイント２０にまた結合されることを経て、かかる絶縁ジョイント２０は、一体的に被覆成形を呈すると共に、電熱管１０の両端が絶縁ジョイント２０内に絶縁被覆されており、前記電熱管１０の形状が、次第に外向き拡開状態を呈し、底部で最大に拡開して異なる傾斜角度の加熱部を形成し、かかる絶縁ジョイント２０は、一側下端に弧面を有する取り付けフック２０１が一体成形的に設けられ、前記取り付けフック２０１は、前記電気湯沸器を加熱用入れ容器（例えば、図４の鋼製カップ９）の周辺壁に嵌挿固定するために供され、前記電気湯沸器は、位置ずれや摺動を生じないように確保するために用いられる。
【実施例２】
【００１５】
図３に示すのは、本考案の防爆安全電気湯沸器の電熱管１０の別の実施形態であり、図示のように、電熱管１０ａは、同様に好適に延伸して折り曲げられた後に絶縁ジョイント２０にまた結合されることを経て、電熱管１０ａの両端も絶縁ジョイント２０内に絶縁被覆されているが、前記電熱管１０ａの形状が、底部で隣り合う巻回の拡開加熱部を２個連続形成する。このため、電熱管の形状変更に関しては、好適に種々の変更を施すことが可能であるので、制限することはない。
【符号の説明】
【００１６】
１０，１０ａ：電熱管
２０：絶縁ジョイント
２０１：取り付けフック
１：金属管体
２１，２２：端子針
３１，３２：閉塞材
４：ヒューズ
５１，５２：発熱線
６：充填物質
７１，７２：接続端子
８：高温防止スリーブ
９：鋼製カップ
【図１】
0003209618.tif 000003
【図２】
0003209618.tif 000004
【図３】
0003209618.tif 000005
【図４】
0003209618.tif 000006